(57)【要約】      （修正有）【課題】任意の書画等の差し換え表装が容易にできる表装体を提供する。【解決手段】掛け紐等の吊り下げ機構、掛け紐部１０１を有する天部表体１０２と、天部表体下辺に折り曲げ可能に設けられるとともに表裏貫通した中部表体絵窓１０４を有する中部表体１０３と、表体絵窓に任意の取付機構により取り付けられる袋状の透明フィルムからなる本紙絵挿入フィルム１０５と、中部表体下辺に折り曲げ可能に設けられる地部表体１０６とよりなる差替式表体。【選択図】図１
2005074989.tif 000002
【特許請求の範囲】
【請求項１】
掛け紐やフック穴等の吊り下げ機構を有する天部表体と、天部表体下辺に折り曲げ可能に設けられるとともに表裏貫通した表体絵窓を有する中部表体と、該表体絵窓に任意の取付機構により取付けられる袋状の透明フィルムからなる絵挿入フィルムと、前記中部表体下辺に折り曲げ可能に設けられる地部表体とよりなる差替式表体。
【請求項２】
表体絵窓の絵を視認できる状態で中部表体を立設させるスタンド機構を具備したことを特徴とする請求項１記載の差替式表体。
【発明の詳細な説明】
【発明の詳細な説明】
【技術分野】
【０００１】  本発明は、任意の書画等の差し換え表装が容易にできる差替式表体である。
【背景技術】
【０００２】  従来、書画等における掛軸の表装は、書画等に準じた様相で掛軸の表装作業をおこなっていた。
表装技術においては、その表装作業には高度な技術を必要としていたために掛軸を作成することにおいて困難であった。【０００３】  厚紙を使用し、鑑賞物の出し入れが容易であり、且つ簡単な工程で容易に製造することが可能なフレーム、及び製造方法があった。【０００４】
【参考文献１】
特開平１１−５６５５５
【発明が解決しようとする課題】
【０００５】  これには次のような欠点があった。
書画等における掛軸の表装は、書画等に準じた様相で掛軸の表装作業をおこない、表装技術においては、その表装作業には高度な技術を必要としていたために掛軸を容易作成することにおいて困難であった。
【０００６】  四方辺を張り合わせた二枚の厚紙からなり、その中央部に厚紙の一方又は双方の四方に枠を残して窓を形成し、背面より透明シートが貼付され鑑賞物の出し入れを容易にし、且つ簡単な工程で容易に製造することが可能なフレーム、及び製造方法があったが、書画等における掛軸の形態がなされているものではなかった。
本発明は、これらの欠点を解決するためになされたものである。
【課題を解決するための手段】
【０００７】本発明は図１に示すよう、掛け紐やフック穴等の吊り下げ機構、掛け紐（１０１）部を有する天部表体（１０２）と、天部表体下辺に折り曲げ可能に設けられるとともに表裏貫通した中部表体絵窓（１０４）を有する中部表体（１０３）と、該表体絵窓に任意の取付機構により取付けられる袋状の透明フィルムからなる本紙絵挿入フィルム（１０５）と、前記中部表体（１０３）下辺に折り曲げ可能に設けられる地部表体（１０６）とよりなる差替式表体で、また表体絵窓の絵を視認できる状態で中部表体（１０３）を立設させるスタンド機構を具備したことを特徴とする差替式表体を提供する。
【発明を実施するための最良の形態】
【０００８】  以下、本発明の実施の形態について図１乃至図６をもちいて説明する。
図１は表体に本紙絵が貼付された表装の表面の形態を示した図である。
図２は表体に本紙絵が貼付された表装の裏面の形態を示した図である。
図３は本発明の表体の構成の形態を示した図である。
図４は本発明の表体の構成の形態を側面の状態を示した図である。
図５は本発明の表体を折たたんだ収納状態を示した図である。
図６は本発明の実施の応用例で、フォトスタンドとしての応用例を示した図である。【０００９】本発明は、図１に示すような表体表面（１０）で天部表体（１０２）、中部表体（１０３）地部表体（１０６）の構成で、天部表体（１０２）に壁掛けができる掛け紐（１０１）が設けられ、中部表体（１０３）に中部表体絵窓（１０４）が設けられ、本紙絵（２０１）が、裏面から入れ替えができるよう、本紙絵挿入フィルム（１０５）が設けられている形態を示した図である。【００１０】本発明差替式表体の構成は厚紙等で形成され、図２に示す表体裏面（１０Ａ）で、中部表体（１０３）の中部表体絵窓（１０４）は切抜かれた状態の空中になっており、裏面からポケット状の本紙絵挿入フィルム（１０５）が設けられている。
このポケット状の本紙絵挿入フィルム（１０５）が中部表体（１０３）の裏面にテープ等で貼付し、ポケット状の本紙絵挿入フィルム（１０５）に本紙絵（２０１）の入れ替えができる。【００１１】図３に示されているのは、本発明の構成で、天部表体（１０２）と中部表体（１０３）の間を連結に背止めテープ（３０１）を貼付し固定し、中部表体（１０３）下方と地部表体（１０６）の間を連結に背止めテープ（３０１）を貼付し固定されている。
さらに、中部表体（１０３）の中部表体絵窓（１０４）は切抜かれた状態の空中になっており、中部表体絵窓（１０４）の裏面からポケット状の本紙絵挿入フィルム（１０５）をテープ等で貼付し、ポケット状の本紙絵挿入フィルム（１０５）により、本紙絵（２０１）の入れ替えができる。【００１２】図４に示されているのは、前記図３の本発明の側面からの構成図であり、表体裏面（１０Ａ）から、天部表体（１０２）と中部表体（１０３）の間を連結に背止めテープ（３０１）を貼付し固定し、中部表体（１０３）下方と地部表体（１０６）の間を連結に背止めテープ（３０１）を貼付し固定されていることで、折りたたみ方向Ａ、Ｂの裏面内方に折りたたむことが可能になる。【００１３】図５は天部表体（１０２）と地部表体（１０６）を折りたたみ方向Ａ、Ｂの裏面内方に折りたたんだ状態を示した図である。【００１４】図６に示したのは、実施の応用例で地部表体（１０６）又は中部表体（１０３）のいずれかにスタンド（４０１）を設けることで、フォトスタンドとして使用できる状態を示した図である。
以上、本発明の差替式表体は構成される。【００１５】以下、本発明の使用について説明する。
本発明は、図１に示すような書画等を展示できる折りたたみ式の表体であり、本発明の構成は厚紙で形成され、図２に示す表体裏面（１０Ａ）で、中部表体（１０３）の中部表体絵窓（１０４）は切抜かれた状態の空中になっており、裏面からポケット状の本紙絵挿入フィルム（１０５）が設けられている。
このポケット状の本紙絵挿入フィルム（１０５）により、表体裏面（１０Ａ）から本紙絵（２０１）の入替えができる。【００１６】図３に示すように表体裏面（１０Ａ）から、天部表体（１０２）と中部表体（１０３）の間を連結に背止めテープ（３０１）を貼付し固定し、中部表体（１０３）下方と地部表体（１０６）の間を連結に背止めテープ（３０１）を貼付し固定されていることで、折りたたみ方向Ａ、Ｂの裏面内方に折りたたむことが可能になることから、本発明の差替式表体は容易に収納が可能になる。
また、実施の応用例として地部表体（１０６）又は中部表体（１０３）のいずれかにスタンド（４０１）を設けることで、フォトスタンド等として使用できる。
以上、本発明の差替式表体は使用される。
【発明の効果】
【００１７】本発明、差替式表体の効果は図１に示すような書画等を展示できる折りたたみ式の表装体であり、本発明の構成は厚紙等で形成されることから、製造に低コストにて提供が可能となり、生産も容易にされる。
【００１８】図２に示す表体裏面（１０Ａ）で、中部表体（１０３）の中部表体絵窓（１０４）は切抜かれた状態の空中になっており、裏面からポケット状の本紙絵挿入フィルム（１０５）が設けられ、このポケット状の本紙絵挿入フィルム（１０５）により、表体裏面（１０Ａ）から本紙絵（２０１）の入れ替えができることから、華道や書道、展示会等において活用されその効果は発揮される。
また、図３に示すように表体裏面（１０Ａ）から、天部表体（１０２）と中部表体（１０３）の間を連結に背止めテープ（３０１）を貼付し固定し、中部表体（１０３）下方と地部表体（１０６）の間を連結に背止めテープ（３０１）を貼付し固定されていることで、折りたたみ方向Ａ、Ｂの裏面内方に折りたたむことが可能になることから、本発明の差替式表体は容易に収納と持ち運びが容易になる。
【００１９】  本発明の差替式表体は、書画等の本紙絵を入れ替えができ、掛け紐より壁掛け、また、実施の応用として地部表体（１０６）又は中部表体（１０３）のいずれかにスタンド（４０１）を設けることで、フォトスタンド等として使用でき、表体の中部表体（１０３）を中心に天部表体（１０２）と地部表体（１０６）とで折りたたみができることから、容易に収納が可能となる。
本発明は、以上の効果を実現するものである。
【図面の簡単な説明】
【図１】本発明の実施の表面の形態を示す図である。
【図２】本発明の実施の裏面の形態を示す図である。
【図３】本発明の実施の形態の構成を示す図である。
【図４】本発明の実施の形態の構成を示す断面図である。
【図５】本発明の実施の形態を示す使用図である。
【図６】本発明の実施の応用例を示す使用図である。
【符号の説明】
１０．表体表面
１０１．掛けひも
１０２．天部表体
１０３．中部表体
１０４．中部表体絵窓
１０５．本紙絵挿入フィルム
１０６．地部表体
２０１．本紙絵
１０Ａ．表体裏面
２０１Ａ．本紙絵裏面
３０１．背止めテープ
１０Ｂ．表体側面
４０１．スタンド
【図１】
2005074989.tif 000003
【図２】
2005074989.tif 000004
【図３】
2005074989.tif 000005
【図４】
2005074989.tif 000006
【図５】
2005074989.tif 000007
【図６】
2005074989.tif 000008